(57)【特許請求の範囲】
【請求項１】
少なくとも基板上に下面を装着させたハウジング本体と、相手側コネクタと接続するために側方前面に形成された嵌合口とを備えるライトアングルタイプコネクタを、その上部において真空式の吸着ノズルに吸着させるための吸着用補助具であって、
前記吸着ノズルに吸着させるに必要な面積および滑らかさを有して形成された吸着面を上面側に有してなる吸着用平板部と、二股状に形成されて前記吸着用平板部から下方に突出して伸びる前側脚部と該前側脚部より長い後側脚部とで構成された係止脚部と、前記吸着用平板部から下方に突出して伸びる下面突起と、からなり、
前記吸着面を上に向けた状態で前記前側脚部と後側脚部とによりそれぞれ前記ライトアングルタイプコネクタにおける前面と後面とを外側から挟みつけながら押し込むようにして前記ライトアングルタイプコネクタに着脱自在に係止可能であり、前記ライトアングルタイプコネクタに装着されたときに前記吸着用平板部の下面が前記ハウジング本体の上面に当接し前記下面突起の下端面が前記嵌合口の上面に当接し、且つ前記前側脚部の先端部が前記嵌合口内に入り込まない長さを形成することを特徴とするライトアングルタイプコネクタの吸着用補助具。
【発明の詳細な説明】
【０００１】
【発明の属する技術分野】
本発明は、ライトアングルタイプのコネクタを搬送する際に、そのコネクタを真空式の吸着ノズルに吸着させるために用いるライトアングルタイプコネクタの吸着用補助具に関する。
【０００２】
【従来の技術】
ＩＣやコンデンサ等の電子部品をプリント基板に表面実装する際には、その電子部品をその上部に形成された平面部分において真空式の吸着ノズルに吸着させ、プリント基板上の実装位置まで搬送できる吸着式搬送機能を備える自動実装装置を用いることがある。
【０００３】
ここで、同じくプリント基板に表面実装される電気的接続用のライトアングルタイプコネクタ、例えばプラグコネクタやこのプラグコネクタが嵌合結合されるレセプタクルコネクタ（図１参照）には、それぞれ相手側コネクタとの嵌合口が、側方前面（嵌合方向）に向かって開口している。このように形成されたコネクタにおいては、ハウジングにおいて嵌合口が形成された嵌合部がハウジング本体よりも小さく形成されることが多いため、コネクタの上面には段差が生じることとなり、吸着ノズルを吸着させるために必要な吸着面積を有する平面部分を得られないことが多い。従って、ＩＣ等と同様に吸着式搬送機能を持つ自動実装装置を用いてプリント基板への実装を行う場合には、図４に示すような吸着用補助具３１が用いられていた。
【０００４】
この吸着用補助具３１は、基板Ｋ上に下面１１ｇを装着させた状態で、プラグコネクタとの嵌合口１１ｃが側方前面に形成されたライトアングルタイプのレセプタクルコネクタ１０に用いられるものである。吸着用補助具３１は、上面が吸着面３２ａとなっている平板部３２と、この平板部３２の一端から下方に伸びる保持部３３と、この保持部３３から水平方向後方に伸びる脚部３４とから、その断面形状が略「コ」の字状に形成されている。
【０００５】
このように形成された吸着用補助具３１は、嵌合口１１ｃから嵌合空間１１ｄ内に脚部３４を挿入することにより脚部３４がコンタクト１３，１３によって挟持されて、レセプタクルコネクタ１０に係止される。このように吸着用補助具３１を係止させた状態で、吸着面３２ａに吸着ノズルを吸着させることにより、プリント基板Ｋにおける所定の実装位置まで搬送することができる。そして、コネクタ１０の実装を行った後は、鎖線で示すようにコネクタ１０の前方に吸着用補助具３１を引き抜く。
【０００６】
【発明が解決しようとする課題】
しかしながら、このように構成された吸着用補助具３１においては、コンタクト１３，１３によって保持を行うため、吸着用補助具３１を外した後にコンタクト１３，１３の弾性が低下し（バネ性が悪くなり）、所定の変位や接触力が得られなくなるおそれがあるとともに、プラグコネクタのコンタクトとの接触面１３ｄを傷めることがあり、送信される信号に悪影響を与えるおそれもある。
【０００７】
また、吸着用補助具３１を取り付けた状態においては、コネクタ１０の重心が前方に移動してしまうため、プリント基板Ｋ上に載置したとき（半田付けする前）にコネクタ１０が矢印Ｔで示すように前方に傾くという問題がある。さらに、プリント基板Ｋに実装した後に吸着用補助具３１を取り外す際にはコネクタ１０の側方からの作業となるため、プリント基板Ｋ上の他の部品と干渉しないように作業を行うのが難しいという問題もある。
【０００８】
本発明は、このような問題に鑑みてなされたものであり、ライトアングルタイプコネクタにおいてコネクタの上部における吸着ノズルによる吸着を可能にするとともに、コネクタの品質の劣化を招くことがなく、基板への実装作業を容易に行うことができる吸着用補助具を提供することを目的としている。
【０００９】
【課題を解決するための手段】
上記の目的を達成するために、本発明は、少なくとも基板上に下面を装着させたハウジング本体と、相手側コネクタと接続するために側方前面に形成された嵌合口とを備えるライトアングルタイプコネクタの上部において真空式の吸着ノズルに吸着させるための吸着用補助具であって、吸着ノズルに吸着させるに必要な面積および滑らかさを有して吸着面が形成された吸着用平板部と、この吸着用平板部から下方に突出する係止脚部と、吸着用平板部から下方に突出して伸びる前側脚部と前側脚部より長い後側脚部とで構成された下面突起と、からなる。そして、吸着面を上に向けた状態で、二股状に形成された前側脚部と後側脚部とによりそれぞれライトアングルタイプコネクタにおける相手側コネクタとの嵌合口が形成された側方前面と後面とを外側から挟みつけながら押し込むようにして着脱自在に係止であり、ライトアングルタイプコネクタに装着されたときに吸着用平板部の下面がハウジング本体の上面に当接し下面突起の下端面が嵌合口の上面に当接するようにし、且つ前側脚部の先端部が嵌合口に到達しないこととしており、吸着用補助具が押し込まれた状態で前側脚部の先端部が嵌合口内に入り込まない長さを形成している。
【００１０】
このように形成された吸着用補助具は、ライトアングルタイプコネクタに装着されることにより、そのライトアングルタイプコネクタの上部に吸着面を形成する。このため、吸着ノズルによって、そのライトアングルタイプコネクタをその上部から間接的に吸着させることができるとともに、吸着終了後には、そのライトアングルタイプコネクタから取り外しが可能である。
【００１１】
【発明の実施の形態】
以下、本発明の好ましい実施の形態について図面を参照しながら説明する。まず、図１および図２を用いて吸着用補助具を装着するライトアングルタイプコネクタの一例であるレセプタクルコネクタ１０について説明する。
このレセプタクルコネクタ１０は、左右方向に伸びる樹脂製のハウジング１１と、このハウジング１１内に挿入保持されるベース１２と、このベース１２に上下方向に所定の間隔を有して保持される複数のコンタクト１３とからなる。
【００１２】
ハウジング１１は、底面（下面）１１ｇにプリント基板Ｋ上に装着させるためのピン１１ｈが下方に突出して形成されたハウジング本体１１ａと、このハウジング本体１１ａの側方前面に突出して形成された嵌合部１１ｂとからなる。ハウジング１１は前後面が開口して中空に形成され、後面の開口１１ｆからコンタクト１３が保持されたベース１２が挿入保持される。
【００１３】
コンタクト１３は、ベース１２よりも前方に突出して保持されるが、その突出量はベース１２が挿入保持された状態においてコンタクト１３の接触部が、嵌合部１１ｂで覆われた嵌合空間１１ｄ内に納まる（嵌合口１１ｃから前方に突出しない）長さとなっている。
【００１４】
このように形成されたレセプタクルコネクタ１０は、底面１１ｇがプリント基板Ｋ上に当接するように載置される。そして、嵌合口１１ｃから嵌合空間１１ｄ内に挿入された後に上側コンタクト１３ａと下側コンタクト１３ｂとに挟持されるように接触して電気的な接続を行うプラグ側コンタクトを有するプラグコネクタ（図示せず）が図１において矢印Ｆで示す方向である前方から嵌合される。なお、ハウジング１１の左右側面には固定金具１４が設けられている。
【００１５】
ここで、このレセプタクルコネクタ１０においては、プラグコネクタを嵌合したときの外形寸法を小さくするため（すなわち、プラグコネクタの外形寸法を小さくするため）に、ハウジング本体１１ａの上下方向の寸法よりも嵌合部１１ｂの上下方向の寸法の方が小さく形成されており、嵌合時にレセプタクルコネクタ１０におけるハウジング本体１１ａの上面１１ｅとプラグコネクタの上面とがほぼ一致するようになっている。
【００１６】
このため、ハウジング本体１１ａの上面１１ｅよりも嵌合部１１ｂの上面１１ｉの方が一段下がって形成されることとなり、このままでは、レセプタクルコネクタ１０を吸着するのに十分な吸着力を得ることができる大きさの真空式の吸着ノズル（図３参照）をその上面に吸着させることはできない。そこで、以下に説明する上記吸着用補助具が用いられる。
【００１７】
この吸着用補助具１は、平板部２の下面に前側脚部３および後側脚部４からなる二股状の脚部が下方に突出して伸びて形成されている。平板部２の上面は、吸着ノズルを吸着させるのに十分な面積およびなめらかさを持つ平面、即ち、吸着面２ａになっている。この前側脚部３と後側脚部４との内法は、レセプタクルコネクタ１０においてコンタクト１３が配設されている部分における前後方向両側の側面の外幅Ｗにほぼ等しい。なお、両脚部３，４の内側下部には、内方に突出する山状の挟持部３ａ，４ａが形成されている。
【００１８】
このように形成された吸着用補助具１は、吸着面２ａを上に向けた状態で、ハウジング１１の左右方向におけるほぼ中間部において、前側脚部３の挟持部３ａが嵌合口１１ｃの上部の面１１ｊに接するとともに後側脚部４の挟持部４ａがベース１２の後面１２ａに接するように、すなわちレセプタクルコネクタ１０の前面と後面を外側から挟みつけながら押し込まれる。
【００１９】
なお、この押し込みは、平板部２の下面２ｂにおける脚部３および４の内側の面において若干下方に突出した面２ｃがハウジング本体１１ａの上面１１ｅに当接するとともに、下面２ｂから下方に伸びて形成された下面突起５の下端面５ａが嵌合部１１ｂの上面１１ｉに当接するまでなされる。
【００２０】
ここで、下方に突出した面２ｃおよび下面突起５の下面２ｂに対する突出量（長さ）は、両上面１１ｅ，１１ｉに当接したときに吸着面２ａが水平となるように形成されている。これにより、吸着用補助具１は、その平板部２によって、レセプタクルコネクタ１０の上部における中央部分を覆うようにレセプタクルコネクタ１０上に水平に装着される。
【００２１】
ここで、前側脚部３は後側脚部４よりも短く形成されており、上記のように吸着用補助具１が完全に押し込まれた状態で、挟持部３ａが嵌合口１１ｃから嵌合空間１１ｄ内に入り込むことがない長さとなっている。これは、第一の理由として、嵌合空間１１ｄにおける嵌合口１１ｃの近傍にはコンタクト１３の先端部が位置しているため、挟持部３ａが嵌合口１１ｃに達するような長さである場合には、前側脚部３の有する弾性によって挟持部３ａが嵌合口１１ｃ内に入り込むことによりコンタクト１３の先端部に接触して損傷を与えるおそれがあるからである。
【００２２】
また、第二の理由としては、挟持部３ａが嵌合口１１ｃ内に入り込むと、レセプタクルコネクタ１０をプリント基板Ｋ上に実装した後に吸着用補助具１を取り外す場合に外れ難くなるからである。すなわち、レセプタクルコネクタ１０をプリント基板Ｋ上に実装する場合には、コンタクト１３のリード部１３ｃをプリント基板Ｋに形成されたパターン上に半田付けし、その後に吸着用補助具１を上方に引き抜いてレセプタクルコネクタ１０から取り外すわけである。しかしながら、吸着用補助具１が外れ難いと半田付けした部分に外力が加わることとなり、レセプタクルコネクタ１０を実装したプリント基板Ｋの製品としての質が落ちる（半田の外れやリード部１３ｃの曲がりを生じる）おそれを生じるからである。
【００２３】
こうして吸着用補助具１が装着されたレセプタクルコネクタ１０は、図３に示すように、吸着ノズルＮを吸着用補助具１の吸着面２ａに吸着させることにより、間接的にその吸着ノズルＮに吸着される。そして、プリント基板Ｋにおける所定の実装位置まで搬送される。ここで、吸着用補助具１の吸着面２ａは、吸着ノズルＮに吸着させるのに必要な面積を有して形成されていればよいため、吸着用補助具１の外形寸法を小さく且つ、軽く形成することができ、実装時の吸着、搬送が行いやすくなる。
【００２４】
そして、前記のようにレセプタクルコネクタ１０のプリント基板への実装後、吸着用補助具１はレセプタクルコネクタ１０から取り外される。これにより、レセプタクルコネクタ１０の嵌合口１１ｃの全体が開口され、このレセプタクルコネクタ１０にプラグコネクタを嵌合させることができる。そして、取り外した吸着用補助具１は別のレセプタクルコネクタの吸着搬送時に再度使用することができる。
【００２５】
なお、上記の発明の実施の形態においては、ライトアングルタイプコネクタがレセプタクルコネクタである場合について説明したが、本発明に係る吸着用補助具を用いるライトアングルタイプコネクタは、レセプタクルコネクタに限られるものではなく、プラグコネクタにももちろん用いることができる。
【００２６】
ここで、上記のようなライトアングルタイプコネクタにおいては、種々のタイプのものが製作されているが、同一タイプのコネクタにおいてピン数（コンタクトの数）を変えるときはハウジングの左右方向の長さを変えるだけで、ハウジングの前後方向の寸法は同一に形成されている。このため、上記のように構成された吸着用補助具１によれば、同一タイプのコネクタであればピン数が異なるコネクタであっても同一の吸着用補助具１を用いることができるため経済的でもある。
【００２７】
【発明の効果】
以上のように本発明の吸着用補助具は、吸着用平板部と係止脚部とから構成されており、二股状に形成された前側脚部と前側脚部より長い後側脚部とで構成された係止脚部により、吸着用平板部の吸着面を上に向けた状態でライトアングルタイプコネクタにおいて嵌合口が開口しているの側方前面と後面とを外側から挟みつけながら押し込むようにしてライトアングルタイプコネクタに装着すればその上部に吸着面を形成することができる。このため、その吸着面を吸着ノズルに吸着させることにより、コネクタをその上部において間接的に吸着ノズルに吸着させることができるため、吸着搬送機能を備えた自動実装装置を用いてコネクタをプリント基板に実装することが可能となる。また、本吸着用補助具によれば、コネクタに押し込まれた状態で前側脚部の先端部がコネクタの嵌合口内に入り込まない長さになっているため吸着終了後には吸着用補助具をコネクタから取り外して、そのコネクタを相手側コネクタと嵌合させることができる。
【図面の簡単な説明】
【図１】本発明に係る吸着用補助具およびこの吸着用補助具を装着するライトアングルタイプコネクタの斜視図である。
【図２】上記吸着用補助具を装着したライトアングルタイプコネクタの図１におけるＩＩ−ＩＩ断面図である。
【図３】上記吸着用補助具を装着したライトアングルタイプコネクタの図１におけるＩＩＩ−ＩＩＩ矢視図である。
【図４】従来の吸着用補助具を装着したライトアングルタイプコネクタの図１におけるＩＩ−ＩＩに相当する断面図である。
【符号の説明】
１    吸着用補助具
２    吸着用平板部
２ａ  吸着面
３    前側脚部
４    後側脚部
１０  ライトアングルタイプのレセプタクルコネクタ
Ｎ    吸着ノズル
【図１】
0003563861.tif 000002
【図２】
0003563861.tif 000003
【図３】
0003563861.tif 000004
【図４】
0003563861.tif 000005